(57)【特許請求の範囲】
【請求項１】
１つの収納トレーと、この収納トレーまたは他の密閉容器側の密閉蓋上に載置される容器本体と、これらの容器本体の開口を密閉状態で覆蓋する密閉蓋とからなる、密閉容器と収納トレーとの組合せであって、
前記密閉容器の容器本体の底面に複数の脚突起を形成するとともに、これらの各脚突起が係合される係合段部を、前記各脚突起の高さよりも浅い状態で前記密閉蓋上に形成し、かつ前記各脚突起の表面またはこれが当接する前記密閉蓋側の表面部分の少なくともいずれか一方に、滑り止め機能を発揮するシボ加工を施して、
１つの密閉容器を他の密閉容器上に載置したとき、前記各脚突起と係合段部との係合により相互の位置決めを行うとともに、上下の密閉容器間に隙間を形成できるようにし、かつ前記シボ加工によって相互の滑り止めを行うようにし、
さらに、前記密閉トレーを、前記密閉容器の内の最小のものの大きさの整数倍の長さを有する底面と、この底面の外周に立ち上がる支持壁と、これらの支持壁と底面との境界部分に形成した多数の通気孔と、前記底面の少なくとも一方端に形成した指掛け部と、前記密閉容器側の係合段部と同様に前記底面上に形成した係合段部とを備えたものとしたことを特徴とする密閉容器と収納トレーとの組合せ。
【発明の詳細な説明】
【０００１】
【発明の属する技術分野】
本発明は、種々な食品等を密閉して収納するための密閉容器と、これを複数支持して、冷蔵庫等に対する出入れを容易にするための収納トレーとの組合せに関するものである。
【０００２】
【従来の技術】
容器本体と、その開口を密閉状態で覆蓋する密閉蓋とからなる密閉容器は、中に収納した例えば食材や食品等の乾燥を防止したり、雑菌の混入や臭いの出入を防止したりすることができるものであり、近年では家庭で利用する物として重宝されているものの１つとなってきている。また、このような密閉容器は、通常はそのまま冷蔵庫に入れて、中味を保存することが一般的に行われている。
【０００３】
一方、冷蔵庫についてみてみると、その効率を上げるために庫内の構造や棚の構成を種々工夫することがなされてきているが、これらのものにどのような工夫を凝らしても、庫内を物で一杯にしてしまえば、効率の良い冷蔵を行うことはできない。何故なら、冷却作用は、冷気の流れによって行うものであるため、この冷気の流れを遮断してしまうような物の詰め方をすれば、当然冷却を行うことができないからである。
【０００４】
このような冷蔵庫内に上述した密閉容器を多数収納してその冷蔵を行う場合、庫内の冷気の流れを十分行えるようにしなければならないことは前述した通りである。また多数の密閉容器を庫内に入れた場合、必要な密閉容器が奥の方にあれば、手前の密閉容器を退けなければならないし、再度庫内に入れるときにも注意を払わなければならない。
【０００５】
換言すれば、多数の密閉容器を冷蔵庫内に収納する場合には、次のようなことが行えると便利かつ有利である。
（１）各密閉容器を積み重ねた場合、相互の位置決めが確実になされれば、庫内を整理しかつ安定した収納ができるだけでなく、密閉容器の個別の取り出しの際に他の密閉容器をひっくり返して位置ズレさせたりすることがなくなる。
（２）積み重ねた密閉容器間を冷気が十分通過し得るようになっていれば、各容器の冷却を効率良く行うことができる。
（３）複数の密閉容器を規格化されたトレーによって支持するようにしておけば、このトレーによって複数の密閉容器の出入れを安全かつ簡単に行うことができる。
（４）上記トレーについての冷気の流れを良くする工夫があれば、各密閉容器の冷蔵を効率良く行うことができる。
【０００６】
そこで、本発明者等は、上記（１）〜（４）の点を改善すべく、従来の技術資料を検討してみたところ、例えば各種の調味料入れを１つのトレー上に載置しておく技術的思想はあるものの、冷気の通しを良好にしながら密閉容器を冷蔵庫内に収納するという技術的思想は特にはないことを見い出し、本発明を完成したのである。
【０００７】
【発明が解決しようとする課題】
本発明は、この種の密閉容器における上記要望を満たすべくなされたもので、その解決しようとする課題は、この種の密閉容器を冷蔵庫内に収納するにあたっての、収納の効率化と冷気の流通の確実化である。
【０００８】
すなわち、本発明の目的とするところは、複数のものを積み上げて冷蔵庫内に収納したとき、その位置ズレ防止を図ることができて、周囲への冷気の通しを良好にすることのできる密閉容器と、複数の密閉容器を位置ズレしないように冷蔵庫内に収納できるだけでなく、その取り出しも各密閉容器間に位置ズレを生じさせることなく行え、しかも冷気の流通を阻害することのない密閉容器のための収納トレーとからなる組合せを簡単な構造によって提供することにある。
【０００９】
（削除）
【００１０】
【課題を解決するための手段】
以上の課題を解決するために、本発明の採った手段は、後述の実施の形態の説明中において使用する符号を付して説明すると、
「１つの収納トレー２０ａ・２０ｂと、この収納トレー２０ａ・２０ｂまたは他の密閉容器１０ａ・１０ｂ・１０ｃ側の密閉蓋１２上に載置される容器本体１１と、これらの容器本体１１の開口を密閉状態で覆蓋する密閉蓋１２とからなる、密閉容器１０ａ・１０ｂ・１０ｃとトレー２０ａ・２０ｂとの組合せであって、
密閉容器１０ａ・１０ｂ・１０ｃの容器本体１１の底面に複数の脚突起１３を形成するとともに、これらの各脚突起１３が係合される係合段部１４を、各脚突起１３の高さよりも浅い状態で密閉蓋１２上に形成し、かつ各脚突起１３の表面またはこれが当接する密閉蓋１２側の表面部分の少なくともいずれか一方に、滑り止め機能を発揮するシボ加工１５を施して、
１つの密閉容器１０ａ・１０ｂ・１０ｃを他の密閉容器１０ａ・１０ｂ・１０ｃ上に載置したとき、各脚突起１３と係合段部１４との係合により相互の位置決めを行うとともに、上下の密閉容器１０ａ・１０ｂ・１０ｃ間に隙間３０を形成できるようにし、かつシボ加工１５によって相互の滑り止めを行うようにし、
さらに、トレー２０ａ・２０ｂを、密閉容器１０ａ・１０ｂ・１０ｃの内の最小のものの大きさの整数倍の長さを有する底面２１と、この底面２１の外周に立ち上がる支持壁２２と、これらの支持壁２２と底面２１との境界部分に形成した多数の通気孔２３と、底面２１の少なくとも一方端に形成した指掛け部２４と、密閉容器１０ａ・１０ｂ・１０ｃ側の係合段部１４と同様に底面２１上に形成した係合段部とを備えたことを特徴とする密閉容器１０ａ・１０ｂ・１０ｃと収納トレー２０ａ・２０ｂとの組合せ」
である。
【００１１】
すなわち、この請求項１に係る密閉容器１０ａ・１０ｂ・１０ｃと収納トレー２０ａ・２０ｂとの組合せは、例えば図１０または図１２に示すように、複数のものをセット化して販売・使用されるものであるが、密閉容器１０ａ・１０ｂ・１０ｃのみで冷蔵庫内に収納されることもあり、また、図１及び図２に示すように、後述する収納トレー２０ａ・２０ｂ上に載置して冷蔵庫内に収納されることもあるものである。そして、まず、各密閉容器１０ａ・１０ｂ・１０ｃは、図３〜図５に示すように、合成樹脂を主な原料として一体成型した容器本体１１及び密閉蓋１２をそれぞれ備えているものである。
【００１２】
容器本体１１は、成形後に所定の剛性を有するポリプロピレン等の合成樹脂を材料として、十分な気密性を有するものと一体成形したものであり、その上端開口を形成する部分は、後述する密閉蓋１２を気密的に嵌合できるように、外方に僅かに拡開したものとしてある。
【００１３】
また、各容器本体１１の底面には、図１〜図５に示したように、複数の脚突起１３が突出形成してあり、これら脚突起１３の形成位置は、当該容器本体１１に嵌合されるべき密閉蓋１２の上面に形成してある係合段部１４の外周縁に係合するように決定してある。
【００１４】
密閉蓋１２は、図７に示すように、容器本体１１の上端開口に嵌合し易くかつ密閉性を良くするために、外周部分を軟質合成樹脂材料を使用して形成した周縁部１２ａとしてあり、この周縁部１２ａの内側を透明性の高い合成樹脂材料によって形成した透視部１２ｂとしてある。そして、この透視部１２ｂ上面に、容器本体１１側の各脚突起１３を周縁に係合できるようにするための係合段部１４が形成してあり、この係合段部１４の厚さは各脚突起１３の高さよりも薄くなるようにしてある。
【００１５】
なお、図３に示した密閉容器１０ａは所謂丸型のものであり、図４に示した密閉容器１０ｂは小判型のものであり、この密閉容器１０ｂはさらに図１２に示すような角型のものともされる。また、図４に示した密閉容器１０ｂの係合段部１４は、ひょうたん型の形状のものとしてあったが、この係合段部１４は、図５に示すように、丸型のものを２つにすることも考えられる。さらに、図６に示すような角型の密閉容器１０ａまたは１０ｂについては、この係合段部１４を分銅型にして実施することも考えられる。
【００１６】
以上のように構成した各密閉容器１０ａ・１０ｂ・１０ｃは、同じ形状のものであれば、図１及び図２に示したように、それぞれの積み上げができることは当然として、例えば図４に示した密閉容器１０ｂの上に、図３に示した２つの密閉容器１０ａを同時に積み上げることができるものである。
【００１７】
各密閉容器１０ａ・１０ｂ・１０ｃを互いに積み上げたときは、図１にも示したように、上側になる容器本体１１側の各脚突起１３が、下側の密閉容器１０ａ・１０ｂ・１０ｃの密閉蓋１２の上面に形成してある係合段部１４にそれぞれ係合することになるから、各密閉容器１０ａ・１０ｂ・１０ｃ間の位置決めがなされるとともに、積み上げた複数の密閉容器１０ａ・１０ｂ・１０ｃを冷蔵庫内に対して出入れする際に、互いの位置ズレが防止されるのである。なお、実施形態で示す各脚突起１３は、図１及び図２に示したように、半球状のものとしてあるから、これら各脚突起１３の係合段部１４に対する位置決めや係合を簡単に行えるものとなっている。
【００１８】
また、各密閉容器１０ａ・１０ｂ・１０ｃを積み上げたときは、図１に示したように、各密閉容器１０ａ・１０ｂ・１０ｃ間に隙間３０が形成されるが、これは、密閉蓋１２側の係合段部１４の厚さを容器本体１１側の各脚突起１３の高さよりも薄くしたからである。各密閉容器１０ａ・１０ｂ・１０ｃ間に隙間３０が形成されれば、この隙間３０を通して各密閉容器１０ａ・１０ｂ・１０ｃから生ずる熱気や、冷蔵庫内の冷気の流通がなされるから、各密閉容器１０ａ・１０ｂ・１０ｃの冷蔵庫内での冷蔵を効率良く行うことができるのである。勿論、これらの密閉容器１０ａ・１０ｂ・１０ｃ以外の収納物に対しても、各密閉容器１０ａ・１０ｂ・１０ｃ間の隙間３０を通して冷気が供給されるから、各密閉容器１０ａ・１０ｂ・１０ｃを収納することによる冷蔵庫の効率を防げることはないのである。
【００１９】
そして、これら各密閉容器１０ａ・１０ｂ・１０ｃについては、図２〜図５に示したように、滑り止め機能を発揮するシボ加工１５が、各脚突起１３の表面またはこれが当接する密閉蓋１２側の表面部分の少なくともいずれか一方に施してあるため、各密閉容器１０ａ・１０ｂ・１０ｃを積み上げたときは、各シボ加工１５によって各密閉容器１０ａ・１０ｂ・１０ｃ相互の滑り止めがなされることになる。すなわち、このシボ加工１５は、各密閉容器１０ａ・１０ｂ・１０ｃの複数を積み上げたときに、各相互間の位置ズレ防止を一層確実なものとしているのである。
【００２０】
勿論、各密閉容器１０ａ・１０ｂ・１０ｃは、次に述べる収納トレー２０ａ・２０ｂ内に載置することにより、冷蔵庫に対するまとめ収納を行えることは言うまでもなく、その場合には、後述するように、各脚突起１３によって安定的な載置または積み上げがなされるものである。
【００２１】
さて、以上の密閉容器１０ａ・１０ｂ・１０ｃが載置される収納トレー２０ａ・２０ｂは、
「密閉容器１０ａ・１０ｂ・１０ｃの内の最小のものの大きさの整数倍の長さを有する底面２１と、この底面２１の外周に立ち上がる支持壁２２と、これらの支持壁２２と底面２１との境界部分に形成した多数の通気孔２３と、底面２１の少なくとも一方端に形成した指掛け部２４と、密閉容器１０ａ・１０ｂ・１０ｃ側の係合段部１４と同様に底面２１上に形成した係合段部とを備えた」
ものである。
【００２２】
すなわち、この収納トレー２０ａ・２０ｂは、前述の密閉容器１０ａ・１０ｂ・１０ｃをまとめて載置し、その全体を冷蔵庫内に収納する場合に使用されるものであるが、底面２１の外周に一体的に形成してある支持壁２２によって、底面２１上に直接載置された各密閉容器１０ａ・１０ｂ・１０ｃの動きを規制するようにしたものである。また、この収納トレー２０ａ・２０ｂに形成してある指掛け部２４は、使用者の指を掛けられるようにしたものであり、各密閉容器１０ａ・１０ｂ・１０ｃを載置した収納トレー２０ａ・２０ｂ全体の冷蔵庫に対する出入れ作業を容易に行えるようにしたものである。
【００２３】
また、収納トレー２０ａ・２０ｂの底面２１と支持壁２２との境界部分に、多数の通気孔２３が形成してあるが、これらの通気孔２３は、上記位置に形成したことによって、当該収納トレー２０ａ・２０ｂ内に各密閉容器１０ａ・１０ｂ・１０ｃを収納載置したとしても、これによって塞がれることはない。従って、図１に示したような状態にしたものを冷蔵庫内に入れても、当該収納トレー２０ａ・２０ｂが受け取った冷気は各通気孔２３から通り抜けて下方に流れることになるから、収納トレー２０ａ・２０ｂの存在によって冷気の流れが遮断されることはないのである。
【００２４】
勿論、この収納トレー２０ａ・２０ｂは、その上面に各密閉容器１０ａ・１０ｂ・１０ｃを収納載置するものであるから、複数の密閉容器１０ａ・１０ｂ・１０ｃを一まとめにして冷蔵庫内に収納するのに有利なものであることは言うまでもない。また、各収納トレー２０ａ・２０ｂの底面２１上には、上記密閉容器１０ａ等の係合段部１４と同様な係合段部が形成してあり、この係合段部に上記密閉容器１０ａ等の各脚突起１３を係合させることができて、当該収納トレー２０ａ・２０ｂに対する密閉容器１０ａ等の載置・固定を確実なものとすることができる。
【００２５】
【発明の実施の形態】
以上のように構成した各発明を、図面に示した実施の形態に従って説明すると次の通りである。
【００２６】
図１及び図２には、収納トレー２０ａ・２０ｂの上に、図３に示した丸型密閉容器１０ａを３段に、また図４に示した小判型密閉容器１０ｂを２段に積み上げて収納した状態が示してある。各密閉容器１０ａ・１０ｂ・１０ｃの各収納トレー２０ａ・２０ｂに対する収納・積み上げは、例えば図１０または図１２に示したように、種々変更してなされるものであり、それぞれの形態に応じた密閉容器１０ａ・１０ｂ・１０ｃ及び収納トレー２０ａ・２０ｂがまとめて販売されることになるものである。
【００２７】
密閉容器１０ａ・１０ｂ・１０ｃは、それぞれ所定の合成樹脂材料によって一体成形した容器本体１１と密閉蓋１２とを備えたものであるが、その底面下面には、図３及び図４の各（ロ）に示したように、複数の半球状の脚突起１３が一体的に形成してある。一方、密閉蓋１２の上面には、図３及び図４の各（イ）と、図５に示したように、各脚突起１３が係合されるべき係合段部１４がそれぞれ形成してある。
【００２８】
なお、図４に示した小判型の密閉容器１０ｂは、丸型密閉容器１０ａの直径の２倍の長さを有しているものであり、この密閉容器１０ｂの上に２つの密閉容器１０ａを載置することができるようにしてある。つまり、図４の密閉容器１０ｂ側の係合段部１４をひょうたん型にして、２つの密閉容器１０ａを載置したときに、その各脚突起１３が係合段部１４に確実に係合できるようにしてあるのである。
【００２９】
各密閉蓋１２の係合段部１４は、各脚突起１３の高さよりも薄いものとして形成してあるが、これは、各密閉容器１０ａ・１０ｂ・１０ｃを図１等に示したように、積み上げたとき、これら密閉容器１０ａ・１０ｂ・１０ｃ間に隙間３０を形成するためである。
【００３０】
また、係合段部１４の具体的形状としては、図３の（イ）に示したように、円形のものとしてもよく、図４の（イ）に示したように、ひょうたん型のものとしてもよいし、図５に示したように、円形のものを２つにして実施してもよい。さらには、係合段部１４の具体的形状としては、図６に示したような角型の密閉容器１０ａまたは１０ｂについては、分銅型にして実施してもよい。いずれにしても、各係合段部１４の周囲には、図１に示したように、上側の密閉容器１０ａ・１０ｂ・１０ｃが有している各脚突起１３が係合されればよいものであり、各係合段部１４は各脚突起１３の配列状況によって自由に変更して形成すればよいものである。
【００３１】
そして、これら各密閉容器１０ａ・１０ｂ・１０ｃについては、図２〜図５に示したように、滑り止め機能を発揮するシボ加工１５が、各脚突起１３の表面またはこれが当接する密閉蓋１２側の表面部分の少なくともいずれか一方に施してある。このシボ加工１５は、所謂「梨地」とするための凹凸加工をいい、本実施形態の各密閉容器１０ａ・１０ｂ・１０ｃにおいては、図示したように、各脚突起１３の表面と、これが当接する密閉蓋１２側の表面部分（各係合段部１４の周囲に位置する部分）の両方に形成してあるが、いずれか一方に形成すれば、その所望の機能は発揮できるものである。
【００３２】
密閉蓋１２は、容器本体１１の開口に気密的に嵌合して、容器本体１１内を気密的にするものであるから、本実施形態では図７に示したように構成してある。すなわち、この密閉蓋１２は、容器本体１１の上端線に嵌合される嵌合溝を有した軟質の周縁部１２ａと、この周縁部１２ａの内側に位置して周縁部１２ａと気密的に一体成形される透視部１２ｂとからなるものである。
【００３３】
なお、本実施形態の周縁部１２ａは、容器本体１１の開口への気密的嵌合を確実なものするために、ポリプロピレンとエラストマーとの混成合成樹脂材料を採用して形成したものであり、一方、透視部１２ｂは透明または半透明のポリプロピレンを代表とする合成樹脂材料を使用して形成したものである。これらの周縁部１２ａ及び透視部１２ｂは、上記材料を略同時に金型内に射出させて、各材料の同時固化によって一体的に接合されているものである。つまり、実施形態の密閉蓋１２は、その周縁部１２ａと透視部１２ｂとが一体物になったものとして、一体成形されたものなのである。
【００３４】
また、密閉蓋１２の容器本体１１に対する嵌合時の一体化を確実に維持させるために、容器本体１１の上端開口を形成する部分は、図７に示したように、僅かに外方に拡開するものとしてある。
【００３５】
一方、収納トレー２０ａ・２０ｂは、図８または図１１に示すような平面形状を有するものであり、各密閉容器１０ａ・１０ｂ・１０ｃをまとめて載置するのに適した大きさのものとしてある。例えば、図８に示した収納トレー２０ａは、図１及び図１０に示したように、それぞれ大きさの異なる丸型の密閉容器１０ａ・１０ｂ・１０ｃを載置するのに適したものとしたものであり、１つの円形型密閉容器１０ａと、１つの小判型密閉容器１０ｂとを同時に載置できるようにしたものである。すなわち、この収納トレー２０ａ・２０ｂの底面２１の長さは、円形型密閉容器１０ａの直径の整数倍（３倍）の長さを有したものとしてあるのである。なお、図１１に示した収納トレー２０ｂは、図１２に示したように、角型の密閉容器１０ａ・１０ｂ・１０ｃを載置するのに適したものとしてある。
【００３６】
各収納トレー２０ａ・２０ｂは、その底面２１上に各密閉容器１０ａ・１０ｂ・１０ｃを載置するだけでなく、各密閉容器１０ａ・１０ｂ・１０ｃの収納をも行うものであるから、底面２１の外周に各密閉容器１０ａ・１０ｂ・１０ｃより高さの低い支持壁２２が一体的に形成してあり、全体的には「舟型」のものとしてある。そして、各底面２１と支持壁２２との境界部分には、多数の通気孔２３が形成してあり、これらの各通気孔２３を通して当該収納トレー２０ａ・２０ｂが受け取った冷気が流れるようにしてある。
【００３７】
また、各収納トレー２０ａ・２０ｂの底面２１上には、上記密閉容器１０ａ等の係合段部１４と同様な係合段部が形成してあり、この係合段部に上記密閉容器１０ａ等の各脚突起１３を係合させることができて、当該収納トレー２０ａ・２０ｂに対する密閉容器１０ａ等の載置・固定を確実なものとすることができる。
【００３８】
さらに、本実施形態の収納トレー２０ａ・２０ｂでは、図８または図１１に示したように、その両側に指掛け部２４が形成してあるが、これらの指掛け部２４はいずれか一方だけであってもよいものである。
【００３９】
【発明の効果】
以上、詳述した通り、本発明においては、
「１つの収納トレー２０ａ・２０ｂと、この収納トレー２０ａ・２０ｂまたは他の密閉容器１０ａ・１０ｂ・１０ｃ側の密閉蓋１２上に載置される容器本体１１と、これらの容器本体１１の開口を密閉状態で覆蓋する密閉蓋１２とからなる、密閉容器１０ａ・１０ｂ・１０ｃとトレー２０ａ・２０ｂとの組合せであって、
密閉容器１０ａ・１０ｂ・１０ｃの容器本体１１の底面に複数の脚突起１３を形成するとともに、これらの各脚突起１３が係合される係合段部１４を、各脚突起１３の高さよりも浅い状態で密閉蓋１２上に形成し、かつ各脚突起１３の表面またはこれが当接する密閉蓋１２側の表面部分の少なくともいずれか一方に、滑り止め機能を発揮するシボ加工１５を施して、
１つの密閉容器１０ａ・１０ｂ・１０ｃを他の密閉容器１０ａ・１０ｂ・１０ｃ上に載置したとき、各脚突起１３と係合段部１４との係合により相互の位置決めを行うとともに、上下の密閉容器１０ａ・１０ｂ・１０ｃ間に隙間３０を形成できるようにし、かつシボ加工１５によって相互の滑り止めを行うようにし、
さらに、トレー２０ａ・２０ｂを、密閉容器１０ａ・１０ｂ・１０ｃの内の最小のものの大きさの整数倍の長さを有する底面２１と、この底面２１の外周に立ち上がる支持壁２２と、これらの支持壁２２と底面２１との境界部分に形成した多数の通気孔２３と、底面２１の少なくとも一方端に形成した指掛け部２４と、密閉容器１０ａ・１０ｂ・１０ｃ側の係合段部１４と同様に底面２１上に形成した係合段部とを備えたこと」
にその構成上の特徴があり、これにより、複数のものを積み上げて冷蔵庫内に収納したとき、その位置ズレ防止を図ることができて、周囲への冷気の通しを良好にすることのできる密閉容器１０ａ・１０ｂ・１０ｃと収納トレー２０ａ・２０ｂとの組合せを簡単な構造によって提供することができるのである。
【００４０】
すなわち、この組合せを構成している密閉容器１０ａ・１０ｂ・１０ｃによれば、
（１）各密閉容器を積み重ねた場合、相互の位置決めを確実に行うことができて、冷蔵庫内を整理することができ、かつ安定した収納ができるだけでなく、密閉容器の個別の取り出しの際に、他の密閉容器をひっくり返して位置ズレさせたりすることがなくなる。
（２）積み重ねた密閉容器間では冷気が十分通過し得るから、冷蔵庫内における各容器の冷却を効率良く行うことができる。
といった効果を発揮することができるのである。
【００４１】
また、収納トレー２０ａ・２０ｂにおいては、その底面２１と支持壁２２との境界部分に多数の通気孔２３を形成するとともに、その少なくとも一部分に指掛け部２４を形成したことにその構成上の特徴があり、これにより複数の密閉容器を位置ズレしないように冷蔵庫内に収納できるだけでなく、その取り出しも各密閉容器間に位置ズレを生じさせることなく行え、しかも冷気の流通を阻害することのない密閉容器のための収納トレーを簡単な構造によって提供することができるのである。
【００４２】
さらに、この組合せを構成している密収納トレー２０ａ・２０ｂによれば、
（３）複数の密閉容器を規格化されたトレーによって支持することができ、このトレーによって複数の密閉容器の出入れを安全かつ簡単に行うことができる。
（４）上記トレーについて冷気の流れを良くすることができて、各密閉容器の冷蔵を効率良く行うことができる。
といった効果を発揮することができるのである。
【００４３】
そして、以上の収納トレー２０ａ・２０ｂに各密閉容器１０ａ・１０ｂ・１０ｃを収納・載置して組合せたものを冷蔵庫内に入れるようにすれば、その全体の冷蔵庫に対する出入れを容易に行えることは当然として、冷蔵庫内の整理を効率良く行うことができて、冷蔵庫の冷蔵効果を低下させることを防止することができるのである。また、この組合せによれば、各収納トレー２０ａ・２０ｂの底面２１上に密閉容器１０ａ等の係合段部１４と同様な係合段部が形成してあったから、この係合段部に上記密閉容器１０ａ等の各脚突起１３を係合させることができて、当該収納トレー２０ａ・２０ｂに対する密閉容器１０ａ等の載置・固定を確実なものとすることができる。
【図面の簡単な説明】
【図１】収納トレー上に複数の密閉容器を収納・載置した組合せ状態を示す部分破断面正面図である。
【図２】図１に示したものの平面図である。
【図３】丸型の密閉容器を示すもので、（イ）は一部に底面を示した平面図、（ロ）は部分破断面正面図である。
【図４】同小判型の密閉容器を示すもので、（イ）は一部に底面を示した平面図、（ロ）は部分破断面正面図である。
【図５】図４に示した係合段部の他の形状例を示し、かつ一部に底面を示した密閉容器の平面図である。
【図６】角型の密閉容器について形成した係合段部の形状例を示すもので、（イ）は正方形型の密閉容器の平面図、（ロ）は長方形型の密閉容器の平面図である。
【図７】本発明に係る組合せを構成している密閉容器の容器本体と密閉蓋との嵌合状態を示す部分拡大縦断面図である。
【図８】収納トレーを示すもので、（イ）は平面図、（ロ）は底面図である。
【図９】同収納トレーを示すもので、（イ）は拡大正面図、（ロ）は図８中の１−１線に沿ってみた拡大断面図である。
【図１０】丸型の密閉容器とこれに応じた収納トレーとの具体的適用例を示す平面図である。
【図１１】角型の密閉容器に対応した収納トレーを示すもので、右側半分を底面とした平面図である。
【図１２】角型密閉容器とこれに応じた収納トレーとの具体的適用例を示す平面図である。
【符号の説明】
１０ａ  密閉容器
１０ｂ  密閉容器
１０ｃ  密閉容器
１１    容器本体
１２    密閉蓋
１２ａ  周縁部
１２ｂ  周縁部
１３    脚突起
１４    係合段部
１５    シボ加工
２０ａ  収納トレー
２０ｂ  収納トレー
２１    底面
２２    支持壁
２３    通気孔
２４    指掛け部
３０    隙間
【図１】
0003743871.tif 000002
【図２】
0003743871.tif 000003
【図３】
0003743871.tif 000004
【図４】
0003743871.tif 000005
【図５】
0003743871.tif 000006
【図６】
0003743871.tif 000007
【図７】
0003743871.tif 000008
【図８】
0003743871.tif 000009
【図９】
0003743871.tif 000010
【図１０】
0003743871.tif 000011
【図１１】
0003743871.tif 000012
【図１２】
0003743871.tif 000013